(57)【特許請求の範囲】
【請求項１】
化粧パネルの中央に開閉自在な吸込グリルを設け、同吸込グリルの裏面の両側に設けたコ字状のガイドレールによりフィルタを摺動自在に装着してなる天井埋込形空気調和機において、前記フィルタの枠体の表面に第一凸部を形成するとともに、前記フィルタの枠体の開放側先端に第二凸部を形成する一方、前記吸込グリルに前記第一凸部がスライド可能に挿通する開口部を形成し、前記化粧パネルの吸込グリル収納部の開放側の壁面に前記第二凸部が挿通する挿通孔を形成し、前記第一凸部をスライドさせ、前記第二凸部を前記挿通孔に挿脱することにより、前記吸込グリルを前記化粧パネルに対して係脱してなることを特徴とする天井埋込形空気調和機。
【請求項２】
前記フィルタの枠体の表面に第三凸部を形成する一方、前記吸込グリルの裏面に、圧縮コイルバネを圧縮自在に取付け、前記第三凸部を前記圧縮コイルバネに当接することにより、前記第二凸部が前記化粧パネルより突出する方向に付勢されてなることを特徴とする請求項１記載の天井埋込形空気調和機。
【請求項３】
前記圧縮コイルバネの前記吸込グリルへの取付けを、同吸込グリルの裏面に設けた上方と前記第三凸部の当設側を開放した収納部に前記圧縮コイルバネを収納し、前記収納部の上方と前記第三凸部の当設側の二面を収納カバーで覆い、同収納カバーの二面に前記第三凸部が挿通し、前記圧縮コイルバネのコイル径よりも狭い切欠溝を形成してなることを特徴とする請求項１または請求項２記載の天井埋込形空気調和機。
【請求項４】
前記第一凸部を、前記フィルタの枠体の前記ガイドレールによりガイドされた部分よりも開放側先端に一定量以上近づけて形成するとともに、前記フィルタの枠体を弾性体により形成することにより、前記第二凸部を掴持して前記フィルタの枠体を反らせ、前記第一凸部を前記開口部より外してなることを特徴とする請求項１乃至請求項３記載の天井埋込形空気調和機。
【請求項５】
前記第一凸部、第二凸部、第三凸部を、前記フィルタの枠体と一体に形成してなることを特徴とする請求項１乃至請求項４記載の天井埋込形空気調和機。
【請求項６】
前記収納部を、前記吸込グリルと一体に形成してなることを特徴とする請求項３乃至請求項５記載の天井埋込形空気調和機。
【請求項７】
前記収納カバーを、前記ガイドレールと一体に形成してなることを特徴とする請求項３乃至請求項６記載の天井埋込形空気調和機。
【発明の詳細な説明】
【０００１】
【発明の属する技術分野】
本発明は、天井埋込形空気調和機に係わり、より詳細には、吸込グリルおよびフィルタの着脱構造に関する。
【０００２】
【従来の技術】
従来の天井埋込形空気調和機は、図９と図１０にて示すように、化粧パネル１の中央に開閉自在に設けた吸込グリル２の裏面にガイドレール８を設け、同ガイドレール８により両端を保持したフィルタの枠体３が収納され、前記吸込グリル２の両側に設けた係止爪３０を前記化粧パネル１の吸込グリル収納部の壁面に形成した挿通孔に挿通して係止する。前記係止爪３０より下方に突出した凸部３１が前記化粧パネル１の開口部３２よりスライド可能に突出し、前記凸部３１をスライドして前記係止爪３０を前記化粧パネル１より外し、前記吸込グリル２を開放し、前記フィルタの枠体３を開放側にスライドして取り外していた。
【０００３】
【発明が解決しようとする課題】
しかしながら、本構成では、清掃等のためにフィルタを取り外す場合、同フィルタの枠体の取出側端面は吸込グリルの外周より内側にあるため、前記フィルタの枠体が持ち難く、取り出し難く、かつ、吸込グリルを化粧パネルに係止するために係止爪という別部品が必要になるという問題点があった。本発明においては、上記の問題点に鑑み、フィルタが取り出し易く、かつ、吸込グリルを化粧パネルに係止する部品の少ない天井埋込形空気調和機を提供することを目的とする。
【０００４】
【課題を解決するための手段】
本発明は、上記課題を解決するため、化粧パネルの中央に開閉自在な吸込グリルを設け、同吸込グリルの裏面の両側に設けたコ字状のガイドレールによりフィルタを摺動自在に装着してなる天井埋込形空気調和機において、前記フィルタの枠体の表面に第一凸部を形成するとともに、前記フィルタの枠体の開放側先端に第二凸部を形成する一方、前記吸込グリルに前記第一凸部がスライド可能に挿通する開口部を形成し、前記化粧パネルの吸込グリル収納部の開放側の壁面に前記第二凸部が挿通する挿通孔を形成し、前記第一凸部をスライドさせ、前記第二凸部を前記挿通孔に挿脱することにより、前記吸込グリルを前記化粧パネルに対して係脱する構成となっている。
【０００５】
また、前記フィルタの枠体の表面に第三凸部を形成する一方、前記吸込グリルの裏面に、圧縮コイルバネを圧縮自在に取付け、前記第三凸部を前記圧縮コイルバネに当接することにより、前記第二凸部が前記化粧パネルより突出する方向に付勢された構成となっている。
【０００６】
また、前記圧縮コイルバネの前記吸込グリルへの取付けを、同吸込グリルの裏面に設けた上方と前記第三凸部の当設側を開放した収納部に前記圧縮コイルバネを収納し、前記収納部の上方と前記第三凸部の当設側の二面を収納カバーで覆い、同収納カバーの二面に前記第三凸部が挿通し、前記圧縮コイルバネのコイル径よりも狭い切欠溝を形成した構成となっている。
【０００７】
また、前記第一凸部を、前記フィルタの枠体の前記ガイドレールによりガイドされた部分よりも開放側先端に一定量以上近づけて形成するとともに、前記フィルタの枠体を弾性体により形成することにより、前記第二凸部を掴持して前記フィルタの枠体を反らせ、前記第一凸部を前記開口部より外す構成となっている。
【０００８】
また、前記第一凸部、第二凸部、第三凸部を、前記フィルタの枠体と一体に形成した構成となっている。
【０００９】
また、前記収納部を、前記吸込グリルと一体に形成した構成となっている。
【００１０】
更に、前記収納カバーを、前記ガイドレールと一体に形成した構成となっている。
【００１１】
【発明の実施の形態】
以上のような構成にて、フィルタが取り出し易く、かつ、吸込グリルを化粧パネルに係止する部品の少ない天井埋込形空気調和機となる。
【００１２】
【実施例】
図１乃至図８にて示す、本発明の一実施例について説明する。図１に示すように、天井面に下方を向いて設置した化粧パネル１の中央に吸込グリル２を、外周部四辺に異なる方向を向いた四つの吹出口７を設け、前記吸込グリル２の上面にフィルタの枠体３と網体とで構成されたフィルタを設け、上方にモータ５にて駆動される送風ファン４を設け、同送風ファン４の外周に熱交換器６を設け、前記送風ファン４にて、前記吸込グリル２より室内空気を前記フィルタにて濾過して吸込み、前記熱交換器６にて熱交換した空気を前記吹出口７より吹き出す。図２乃至図５に示すように、ＡＢＳ（アクリルニトリルブタジエンスチレン）等の合成樹脂にて形成した前記吸込グリル２の裏面両側にコ字状のガイドレール８を、同ガイドレール８に形成した複数の挿通孔１９にネジ２０を挿通し、ＡＢＳ（アクリルニトリルブタジエンスチレン）等の合成樹脂にて形成した前記化粧パネル１に一体に形成した複数のボス２１に螺着する。塩化ビニール等の弾性のある合成樹脂で形成した前記フィルタの枠体３の両端を前記ガイドレール８にスライド可能に挿入し、前記フィルタの枠体３の表面両側の開放側先端の近傍に第一凸部９を形成するとともに、前記フィルタの枠体３の両側の開放側先端に第二凸部１０を形成する一方、前記吸込グリル２に前記第一凸部９がスライド可能に挿通する開口部１２を形成し、前記化粧パネル１の吸込グリル収納部の壁面１３に前記第二凸部１０が挿通する挿通孔１４を形成する。前記第二凸部１０を掴持して前記フィルタの枠体３を反らせたとき、前記第一凸部９が前記開口部１２より外れるように、前記第一凸部９を前記フィルタの枠体３の前記ガイドレール８によりガイドされた部分よりも開放側先端に一定量以上近づけて形成する。前記フィルタの枠体３の表面両側に第三凸部１１を形成する一方、前記吸込グリル１の裏面に設けた上方と前記第三凸部１１と後記圧縮コイルバネ１６との当設側を開放した収納部１５に圧縮コイルバネ１６を収納し、前記第三凸部１１を前記圧縮コイルバネ１６に当接する。前記収納部１５の上方と前記第三凸部１１の当設側の二面を前記ガイドレール８と一体に形成した収納カバー１７で覆い、同収納カバー１７の二面に前記第三凸部１１が挿通し、前記圧縮コイルバネ１６のコイル径よりも狭い切欠溝１８を形成する。なお、前記第一凸部９、第二凸部１０、第三凸部１１を、前記フィルタの枠体３と一体に形成し、前記収納部１６を、前記吸込グリル２と一体に形成し、前記収納カバー１７を、前記ガイドレール８と一体に形成することにより、部品点数を少なくし、かつ、寸法精度を高くすることができる。
【００１３】
上記構成において、前記吸込グリル２の開閉動作と、前記フィルタの枠体３の取り外し動作について説明する。図２に示すように、前記圧縮コイルバネ１６に前記第三凸部１１が付勢され、前記第一凸部９が前記開口部１２に当接し、前記第二凸部１０が前記挿通孔１４に挿通して、前記吸込グリル２が閉じた状態となる。図６に示すように、前記圧縮コイルバネ１６を前記第三凸部１１で圧縮しながら、前記第一凸部９を前記開口部１２に当接するまでスライドさせることにより、前記第二凸部１０が前記挿通孔１４より外れて、前記吸込グリル２が開ける状態となる。図７に示すように、前記吸込グリル２が開いた状態では、前記圧縮コイルバネ１６に前記第三凸部１１が付勢され、前記第一凸部９が前記開口部１２に当接し、前記第二凸部１０が前記吸込グリル２の外周より突出した状態になる。図８に示すように、前記吸込グリル２が開いた状態で、前記吸込グリル２の外周より突出した前記第二凸部１０を掴持し、前記フィルタの枠体３を反らせることにより、前記第一凸部９を前記開口部１２より外し、前記フィルタの枠体３を取り外すことができる。
【００１４】
【発明の効果】
以上説明したように、本発明によれば、フィルタが取り出し易く、かつ、吸込グリルを化粧パネルに係止する部品の少ない天井埋込形空気調和機となる。
【図面の簡単な説明】
【図１】本発明および従来の天井埋込形空気調和機の全体構成を示す断面図である。
【図２】本発明による天井埋込形空気調和機の一実施例の要部断面図で、吸込グリルが閉じた状態を示す。
【図３】本発明による天井埋込形空気調和機の一実施例の要部断面図で、図２を正面から見た図である。
【図４】本発明による天井埋込形空気調和機の一実施例の要部平面図で、図２を上方から見た図である。
【図５】本発明による天井埋込形空気調和機の一実施例の要部裏面図で、図２を下方から見た図である。
【図６】本発明による天井埋込形空気調和機の一実施例の要部断面図で、吸込グリルが開ける状態を示す。
【図７】本発明による天井埋込形空気調和機の一実施例の要部断面図で、吸込グリルが開いた状態を示す。
【図８】本発明による天井埋込形空気調和機の一実施例の要部断面図で、吸込グリルが開き、フィルタの枠体を取り外した状態を示す。
【図９】従来の天井埋込形空気調和機を下方から見た斜視図である。
【図１０】従来例の天井埋込形空気調和機の吸込グリルを上方から見た斜視図である。
【符号の説明】
１ 化粧パネル
２ 吸込グリル
３ フィルタの枠体
８ ガイドレール
９ 第一凸部
１０ 第二凸部
１１ 第三凸部
１２ 開口部
１３ 壁面
１４ 挿通孔
１５ 収納部
１６ 圧縮コイルバネ
１７ 収納カバー
１８ 切欠溝
【図１】
0003692721.tif 000002
【図２】
0003692721.tif 000003
【図３】
0003692721.tif 000004
【図４】
0003692721.tif 000005
【図５】
0003692721.tif 000006
【図６】
0003692721.tif 000007
【図７】
0003692721.tif 000008
【図８】
0003692721.tif 000009
【図９】
0003692721.tif 000010
【図１０】
0003692721.tif 000011